(57)【要約】【課題】視力障害者等に対し、ペーパの切れ目を探し易くしたトイレット用ロールペーパを提供すること。【解決手段】ロールペーパの長手方向に沿って人の指で感知可能な大きさの深さと面積を有するエンボス加工による凹凸模様４を形成した複数列の帯状部５を設けたことを特徴とするトイレット用ロールペーパ１ａであって、前記複数列の帯状部はロールペーパの幅の両側部と中央部に分散して設けられていることを特徴とするものである。【選択図】図１
0003189254.tif 000002
【実用新案登録請求の範囲】
【請求項１】
ロールペーパの長手方向に沿って人の指で感知可能な大きさの深さと面積を有するエンボス加工による凹凸模様を形成した複数列の帯状部を設けたことを特徴とするトイレット用ロールペーパ。
【請求項２】
前記複数列の帯状部はロールペーパの幅の両側部と中央部に分散して設けられていることを特徴とする請求項１又は２記載のトイレット用ロールペーパ。
【考案の詳細な説明】
【技術分野】
【０００１】  この考案は、トイレット用ロールペーパの切断切れ目を探し易くしたロールペーパに関するものである。
【背景技術】
【０００２】  従来、我々が通常使用しているトイレット用ロールペーパは、図４に示すようなもので、ペーパロール１の端部２をロールペーパ切断用のカバー３で切断し、ペーパロール１を少し廻してペーパの切断端部２少し送り出し、これを摘んで必要な長さ引き出したところで切断して使用している。
しかしながら、健常者はペーパの切れ目を目で見て確認し、ロールから適当な長さだけ引き出して切断して使用することは容易にできるが、身障者、特に目の不自由な方にとっては、ロールペーパの表面に重なった次のペーパの切れ目が探し出せず、ロールの表面に一度ならず二度、三度と次の切れ目が切れを見つかるまで爪を立てて探すため精神的ストレスが蓄積する。【０００３】  トイレット用ロールペーパにエンボス加工を施して手触りや使用部に対する感触を改良したロールペーパは、特許文献１や特許文献２に見られるように既に周知であるが、身障者、特に目の不自由な方のためにロールペーパの切れ目を探し易くして引出を容易にすることを目的としたものは見たことがない。
【先行技術文献】
【特許文献】
【０００４】
【特許文献１】特開２００５−３４８９７６号公報
【特許文献２】特開平１０−２３４６１４号公報
【考案の概要】
【考案が解決しようとする課題】
【０００５】  この考案は、トイレット用ロールペーパにエンボス加工による帯状の凹凸模様を設けることにより、視力の低下した人又は目の見えない人（以下「視力障害者」と言う）にとって、容易にトイレットペーパの切れ目を感知できるトイレット用ロールペーパの提供を目的とするものである。
【課題を解決するための手段】
【０００６】  この考案は、ロールペーパの長手方向に沿って人の指で感知可能な大きさの深さと面積を有するエンボス加工による凹凸模様を形成した複数列の帯状部を設けたことを特徴とするトイレット用ロールペーパであって、好ましくは前記複数列の帯状部はロールペーパの幅の両側部と中央部に分散して設けられていることを特徴とするものである。
【考案の効果】
【０００７】  この考案は、エンボス加工による凹凸模様が人の指によって感知できる程度の大きさの深さと面積を有することにより、視力障害者が容易にトイレット用ロールペーパの切れ目を指で感知できることが出来るのである。凹凸模様の深さと面積については、測定データは無いが考案者の経験上、深さ０．２ｍｍ以上、大きさは直径１ｍｍ以上あれば十分感知可能である。使用者の感覚にもよるが、好ましくは深さ０．２ｍｍ〜０．５ｍｍ、直径１ｍｍ〜５ｍｍの大きさのエンボス模様が実用的である。エンボスの形状については円形や多角形又は各種の形状の模様を使用することが出来る。【０００８】  また、エンボス加工による凹凸模様をロールペーパの長手方向に沿って複数列の帯状に配置することによりロールペーパの切れ目の感知が一層容易となる効果を有する。
しかもエンボス加工された凹凸模様の複数列の帯状部をロールペーパの幅の両側部と中央部に分散して設けることによりロールペーパの製造工程における巻き取り形状の安定化と、トイレットペーパとして使用する際のペーパの切断時の形状を安定的に保つ効果をも向上させる効果も有する。
【図面の簡単な説明】
【０００９】
【図１】この考案のトイレット用ロールペーパの説明図である。
【図２】この考案のトイレット用ロールペーパ図１のＡ−Ａ断面図である。
【図３】この考案のトイレット用ロールペーパ使用状態説明図である。
【図４】従来のトイレット用ロールペーパの説明図である。
【考案を実施するための形態】
【００１０】  以下、この考案の実施例を図に基づき説明するが、以下の説明において同一の機能を有する部材や部位、構成については同一の符号を付け、或いは説明を省略する場合がある。
【００１１】  図１は、この考案のトイレット用ロールペーパの使用説明図で、１はペーパロール、１ａはロールペーパ、２はロールペーパの切断端部、３は切断用カバーである。４はこのロールペーパの表裏に交互に形成されたエンボス加工により形成された凹凸模様４でロールペーパの長手方向に沿って複数列の帯状部５を形成している。
【００１２】  図２はこの考案のエンボス加工による凹凸模様でトイレット用ロールペーパの説明図１のＡ−Ａ断面図である。これはロールペーパ１ａの表裏にエンボス加工による凹凸模様４を形成したもので、図１に示すようにペーパの両側と中央部にロールペーパの長さ方向に沿って帯状部５を形成して設けられている。
【００１３】  エンボス加工による凹凸模様４は、前述したように、凹凸模様の深さと面積については、測定データは無いが考案者の経験上、深さ０．２ｍｍ以上、大きさは直径１ｍｍ以上あれば十分感知可能である。使用者の感覚にもよるが、好ましくは深さ０．２ｍｍ〜０．５ｍｍ、直径１ｍｍ〜５ｍｍの大きさのエンボス模様が実用的である。
【００１４】  エンボスの形状については円形や多角形又は各種の形状の模様を使用することが出来る。そして、図１及び図３に示されているように複数列の帯状にロールペーパの長手方向に沿って配列されている。この長手方向に配列された帯状の凹凸模様は、少なくともロールペーパの両側に設けられるのが好ましいが、更に中央部へ１列または複数列設けることにより、ペーパロールの製造及び切断使用時の感知効果と安定感を増加させる。
【００１５】  すなわち、ロールペーパの切断端面を視力障害者が指先で感知する場合、ペーパの全表面に均等にエンボス加工がなされているよりは、間隔を開けた凹凸模様の帯状を感知する方が切断端部の感知にはより効果的である。
【００１６】  この考案のロールペーパを使用するに際しては、視覚障害者は、まず切断カバー３の下にあるロールペーパの切断端部を指先で探る時、エンボス加工による凹凸模様４があるため容易にその切断端部２を探し当てることが出来、少しペーパロールを回転させれば図１に示すようにロールペーパは容易に剥離し垂れさがるので、図３に示すように指先で摘んで容易に必用な量の長さを引き出して使用することが出来るのである。
【符号の説明】
【００１７】１・・・ペーパロール
１ａ・・ロールペーパ
２・・・切断端部
３・・・切断用カバー
４・・・凹凸模様
５・・・エンボス帯状部
【図１】
0003189254.tif 000003
【図２】
0003189254.tif 000004
【図３】
0003189254.tif 000005
【図４】
0003189254.tif 000006
【手続補正書】
【提出日】平成25年12月3日(2013.12.3)
【手続補正１】
【補正対象書類名】実用新案登録請求の範囲
【補正対象項目名】請求項２
【補正方法】変更
【補正の内容】
【請求項２】
前記複数列の帯状部はロールペーパの幅の両側部と中央部に分散して設けられていることを特徴とする請求項１記載のトイレット用ロールペーパ。